(57)【要約】      （修正有）【課題】取り扱いが容易で、汚れたりすることなく、かつ使用中に内部に充填された炭が移動して空間部が生じたりすることのない、調湿や脱臭を図ることができる建築用シートを得る。【解決手段】  不織布２と、この不織布２を覆う不織布２あるいはアルミ箔等のカバーシート３と、このカバーシート３と前記不織布とを格子状に固定する格子状の固定部５と、この格子状の固定部で格子状に固定された、前記不織布と前記カバーシートの格子で覆われた内部空間に充填された多数個の粒状あるいは小さな炭とで建築用シート１を構成している。【選択図】  図１
2006002343.tif 000002
【特許請求の範囲】
【請求項１】
不織布と、この不織布を覆う不織布あるいはアルミ箔等のカバーシートと、このカバーシートと前記不織布とを格子状に固定する格子状の固定部と、この格子状の固定部で格子状に固定された、前記不織布と前記カバーシートの格子で覆われた内部空間に充填された多数個の粒状あるいは小さな炭とからなることを特徴とする建築用シート。
【請求項２】
不織布と、この不織布を覆う不織布あるいはアルミ箔等のカバーシートと、このカバーシートあるいは前記不織布の少なくとも接触する面に設けられた熱融着樹脂と、前記カバーシートと前記不織布とを格子状に熱融着により固定する格子状の固定部と、この格子状の固定部で格子状に固定された前記不織布と前記カバーシートの格子で覆われた内部空間に充填された多数個の粒状あるいは小さな炭とからなることを特徴とする建築用シート。
【請求項３】
不織布と、この不織布を覆う不織布あるいはアルミ箔等のカバーシートと、このカバーシートあるいは前記不織布の少なくとも接触する面に設けられた熱融着樹脂と、前記カバーシートと前記不織布とを格子状に熱融着により固定する格子状の固定部と、この格子状の固定部で格子状に固定された前記不織布と前記カバーシートの格子で覆われた内部空間に充填された多数個の粒状あるいは小さな炭と、前記格子状の固定部に前記内部空間に位置しないように形成された切り取り用のミシン目とからなることを特徴とする建築用シート。
【請求項４】
不織布と、この不織布を覆う不織布あるいはアルミ箔等のカバーシートと、このカバーシートあるいは前記不織布の少なくとも接触する面に設けられた熱融着樹脂と、前記カバーシートと前記不織布とを格子状に熱融着により固定する格子状の固定部と、この格子状の固定部で格子状に固定された前記不織布と前記カバーシートの格子で覆われた内部空間に充填された多数個の粒状あるい
は小さな炭と、前記格子状の固定部に設けられた剥離紙で覆われた接着剤とからなることを特徴とする建築用シート。
【発明の詳細な説明】
【技術分野】
【０００１】
本発明は住宅の床下、天井、壁部分等に収納される建築用シートに関する。
【背景技術】
【０００２】
従来、住宅の床下、天井、壁部分に炭を収納して、調湿や脱臭を図ることが行なわれている。
【０００３】
しかしながら、従来の床下、天井、壁部分への炭の収納は、炭をそのまま収納するため、その作業が大変で、汚れるとともに、壁面等では使用中に移動して空間部が生じてしまうという欠点があった。
【特許文献１】特になし。
【発明の開示】
【発明が解決しようとする課題】
【０００４】
本発明は以上のような従来の欠点に鑑み、取り扱いが容易で、汚れたりすることなく、かつ使用中に移動して空間部が生じたりすることのない、調湿や脱臭を図ることができる建築用シートを提供することを目的としている。  
【０００５】
また、本発明は廃棄物を炭化して作った炭や、炭の製造時に生じる小さなこな炭等の有効利用を図ることができる建築用シートを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は不織布と、この不織布を覆う不織布あるいはアルミ箔等のカバーシートと、このカバーシートと前記不織布とを格子状に固定する格子状の固定部と、この格子状の固定部で格子状に固定された、前記不織布と前記カバーシートの格子で覆われた内部空間に充填された多数個の粒状あるいは小さな炭とで建築用シートを構成している。
【発明の効果】
【０００８】
以上の説明から明らかなように、本発明にあっては次に列挙する効果が得られる。
【０００９】
（１）不織布と、この不織布を覆う不織布あるいはアルミ箔等のカバーシートと、このカバーシートと前記不織布とを格子状に固定する格子状の固定部と、この格子状の固定部で格子状に固定された、前記不織布と前記カバーシートの格子で覆われた内部空間に充填された多数個の粒状あるいは小さな炭とで構成されているので、カバーシートと不織布との内部空間に充填された多数個の粒状あるいは小さな炭が、取り扱い中に粉になっても外部へ流出するのを効率よく阻止することができる。
したがって、取り扱いが容易で、その作業中に炭で汚れたりするのを防止できる。
【００１０】
（２）前記（１）によって、格子状の内部空間に多数個の粒状あるいは小さな炭が充填されているので、全体がシート状となり、容易に床下、天井、壁面に収納設置して調湿や脱臭を図ることができるとともに、設置した状態で炭が移動して空間部が生じたりするのを効率よく阻止することができる。
【００１１】
（３）前記（１）によって、多数個の粒状あるいは小さな炭を用いるので、炭を製造する時に発生する不良品や、廃棄物を炭化した炭を用いることができる。
したがって、安価に製造することができるとともに、資源の有効利用を図ることができる。
【００１２】
（４）請求項２も前記（１）〜（３）と同様な効果が得られるとともに、格子状の固定部を容易に形成することができる。
【００１３】
（５）請求項３も前記（１）〜（３）と同様な効果が得られるとともに、容易に適当な大きさに切断して使用することができる。
【００１４】
（５）請求項４も前記（１）〜（３）と同様な効果が得られるとともに、容易に
住宅の床下、天井、壁部分に接着剤で固定することができる。
【発明を実施するための最良の形態】
【００１５】
以下、図面に示す本発明を実施するための最良の形態により、本発明を詳細に説明する。
【００１６】
図１ないし図４に示す本発明を実施するための最良の第１の形態において、１は住宅の床下、天井、壁部分に収納設置して調湿や脱臭を図る本発明の建築用シートで、この建築用シート１は例えば１ｍ×１ｍあるいは１ｍ×２ｍの大きさの不織布２と、この不織布２とほぼ同じ大きさのアルミ箔を用いたカバーシート３と、このカバーシート３と前記不織布２とを約６０ｍｍ×７０ｍｍ程度の格子状になるように接着剤４を用いて約６ｍｍ程の幅寸法で固定した格子状の固定部５と、この格子状の固定部５で格子状に固定された、前記不織布２と前記カバーシート３の格子で覆われた内部空間６にそれぞれ充填された多数個の粒状あるいは小さな炭７とで構成されている。
【００１７】
上記構成の建築用シート１は図４に示すように内部空間６部が形成される部位に凹部８が形成されたベース板９に不織布２を位置させ、凹部８に位置する不織布２上に粒状あるいは小さな炭７を配置する。
しかる後、格子状の固定部５に接着剤４を塗布し、カバーシート３で不織布２を覆い、接着剤４部位を押し圧して固定する。
【００１８】
このようにして製造された建築用シート１は、住宅の調湿や脱臭のために床面や天井に敷設されたり、壁面に格子状の固定部５に釘やステープルを用いて、壁面に固定することにより、移動することなく設置する。
この時、内部空間６に充填された粒状あるいは小さな炭７が取り扱い中に粉になっても、不織布２から流出することがないため、取り扱いが容易で、身体や衣服を汚すことなく作業を行なうことができる。
[発明を実施するための異なる形態]
【００１９】
次に、図５ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図５ないし図７に示す本発明を実施するための第２の形態において、前記本発明を実施するための最良の第１の形態と主に異なる点は、不織布２と当接する面に熱融着により不織布２と接着固定する熱融着樹脂１０を塗布したアルミ箔のカバーシート３Ａを用いた点で、このようなカバーシート３Ａを用いて構成した建築用シート１Ａにしても、前記本発明を実施するための最良の第１の形態と同様な作用効果が得られるとともに、製造時に熱した押し圧片を押し圧するだけで格子状の固定部５を容易に形成することができる。
【００２１】
図８ないし図１０に示す本発明を実施するための第３の形態において、前記本発明を実施するための最良の第１の形態と主に異なる点は、熱融着する合成繊維を使用した不織布２Ａを用いた点で、このような不織布２Ａを用いて構成した建築用シート１Ｂにしても、前記本発明を実施するための最良の第１の形態と同様な作用効果が得られるとともに、製造時に格子状の固定部５を容易に形成することができる。
【００２２】
図１１および図１２に示す本発明を実施するための第４の形態において、記本発明を実施するための第３の形態と主に異なる点は、不織布２あるいは２Ａをカバーシート３Ｂとして用いた点で、このようなカバーシート３Ｂを用いて構成した建築用シート１Ｃにしても、前記本発明を実施するための第３の形態と同様な作用効果が得られるとともに、復数枚重ねて使用しても空気の流れが阻止されず、調湿や脱臭を効率よく図ることができる。
【００２３】
図１３および図１４に示す本発明を実施するための第５の形態において、前記本発明を実施するための最良の第１の形態と主に異なる点は、格子状の固定部５の背面に縦方向あるいは横方向に、住宅の床下、天井、壁部分に設置固定するための両面テープ１１を貼り付けてある点で、このように両面テープ本体１１ａおよび剥離紙１１ｂからなる両面テープ１１を貼り付けて構成した建築用シート１Ｄにしても、前記本発明を実施するための最良の第１の形態と同様な作用効果が得られるとともに、設置固定を簡便に行うことができる。
なお、本発明を実施するための形態では剥離紙１１ｂを備える両面テープ１１を用いるものについて説明したが、本発明はこれに限らず、両面テープ本体１１ａに換え、接着剤を用い、この接着剤を剥離紙１１ｂで覆っても良い。
【００２４】
図１５および図１６に示す本発明を実施するための第６の形態において、前記本発明を実施するための最良の第１の形態と主に異なる点は、上部下部に、取付用幅広固定部１２、１２を形成した点で、このように取付用幅広固定部１２、１２を形成して構成した建築用シート１Ｅにしても、前記本発明を実施するための最良の第１に形態と同様な作用効果が得られるとともに、上部下部の取付用幅広固定部１２、１２を両面テープや釘あるいはステープルで留めることによって、設置固定を簡便かつ確実に行うことができる。
また、上部下部の取付用幅広固定部１２、１２に前記図１３および図１４に示す剥離紙１１ｂで覆われた両面テープ本体や接着剤をあらかじめ取付けておいても良い。
【００２５】
図１７および図１８に示す本発明を実施するための第７の形態において、前記本発明を実施するための最良の第１の形態と主に異なる点は、格子状の固定部５に内部空間６に位置しないように切り取り用のミシン目１３を形成した点で、このようにミシン目１３を形成して構成した建築用シート１Ｆにしても、前記本発明を実施するための最良の第１に形態と同様な作用効果が得られるとともに、接地現場に応じた大きさに簡単に切り取って使用することができる。
なお、本発明に用いたミシン目１３は前記第２〜第６の実施の形態にも同様に実施することができる。
【産業上の利用可能性】
【００２６】
本発明は建築用シートを製造する産業および、これを使用する産業で利用される。
【図面の簡単な説明】
【００２７】
【図１】本発明を実施するための最良の第１の形態の斜視図。
【図２】図１の２−２線に沿う拡大断面図。
【図３】本発明を実施するための最良の第１の形態の一部破断斜視図。
【図４】本発明を実施するための最良の第１の形態の製造状態の説明図。
【図５】本発明を実施するための第２の形態の斜視図。
【図６】本発明を実施するための第２の形態の一部破断斜視図。
【図７】図５の７−７線に沿う断面における第２の形態の説明図。
【図８】本発明を実施するための第３の形態の背面の斜視図。
【図９】本発明を実施するための第３の形態の背面の一部破断斜視図。
【図１０】図８の１０−１０線に沿う断面における第３の形態の説明図。
【図１１】本発明を実施するための第４の形態の斜視図。
【図１２】本発明を実施するための第４の形態の一部破断斜視図。
【図１３】本発明を実施するための第５の形態の斜視図。
【図１４】本発明を実施するための第５の形態の両面テープの剥離紙を部分的に剥がした状態の説明図。
【図１５】本発明を実施するための第６の形態の斜視図。
【図１６】本発明を実施するための第６の形態の背面の斜視図。
【図１７】本発明を実施するための第７の形態の斜視図。
【図１８】本発明を実施するための第７の形態の一部破断斜視図。
【符号の説明】
【００２８】
１、１Ａ、１Ｂ、１Ｃ、１Ｄ、１Ｅ、１Ｆ：建築用シート、
２、２Ａ：不織布、
３、３Ａ、３Ｂ：カバーシート、
４：接着剤、                ５：格子状の固定部、
６：内部空間、              ７：粒状あるいは小さな炭、
８：凹部、                  ９：ベース板、
１０：熱融着樹脂、          １１：両面テープ、
１２：取付け用幅広固定部、  １３：ミシン目。
【図１】
2006002343.tif 000003
【図２】
2006002343.tif 000004
【図３】
2006002343.tif 000005
【図４】
2006002343.tif 000006
【図５】
2006002343.tif 000007
【図６】
2006002343.tif 000008
【図７】
2006002343.tif 000009
【図８】
2006002343.tif 000010
【図９】
2006002343.tif 000011
【図１０】
2006002343.tif 000012
【図１１】
2006002343.tif 000013
【図１２】
2006002343.tif 000014
【図１３】
2006002343.tif 000015
【図１４】
2006002343.tif 000016
【図１５】
2006002343.tif 000017
【図１６】
2006002343.tif 000018
【図１７】
2006002343.tif 000019
【図１８】
2006002343.tif 000020